(57)【要約】      （修正有）【課題】高効率なタービン装置を提供する。【解決手段】タービン装置１００であって、本体１１０とタービン羽根組１２０と導流モジュール１３０と戸板組と流体回収部材１５０とを含む。本体１１０に流体入口１１４及び流体出口１１６を開設する。流体入口１１４が導流区域１１４Ａと第１開放区域１１４Ｂとを有する。流体出口１１６が気流回収区域１１６Ａと第２開放区域１１６Ｂとを有する。タービン羽根組１２０は、枢設方向に沿って本体１１０内部に枢設される。導流モジュール１３０は、導流区域１１４Ａに設けられ、戸板組が流体入口１１４に移動可能に設けられる。流体回収部材１５０は、気流回収区域１１６Ａに配置される。流体回収部材１５０は、該流体出口１１６の一部を遮蔽して作動流体Ｆ２が流体回収部材１５０のガイドを経て本体１１０内に還流させる。【選択図】図４
0003208968.tif 000002
【実用新案登録請求の範囲】
【請求項１】
縁壁体を備え、前記周縁壁体に流体入口及び流体出口を開設し、前記流体入口が導流区域と第１開放区域とを有し、前記流体出口が気流回収区域と第２開放区域とを有する本体と、
枢設方向に沿って前記本体内部に枢設されるタービン羽根組と、
前記導流区域に設けられた導流モジュールと、
前記流体入口に移動可能に設けられた戸板組と、
前記気流回収区域に配置され、且つ前記周縁壁体と連接し、前記流体出口の一部を遮蔽する流体回収部材と、
を含む作動流体の駆動を受けることに適すタービン装置であって、
前記導流区域或いは前記第１開放区域から前記本体内までに流れて該タービン羽根組を回転させる一部の該作動流体が前記流体回収部材のガイドを経て前記本体内に還流して前記タービン羽根組を回転させ、前記導流区域或いは前記第１開放区域から前記本体内までに流れて前記タービン羽根組を回転させる一部の前記作動流体が前記第２開放区域を経由して外部環境までに流れることを特徴とするタービン装置。
【請求項２】
前記戸板組は、第１戸板と第２戸板とを備え、前記第１戸板が前記周縁壁体に連接し、且つ導流位置と第１閉位置の間で作動し、前記第２戸板が前記周縁壁体に配置され、且つ開位置と第２閉位置の間で作動することに適し、
前記第１戸板は前記導流位置にある時、前記作動流体が前記第１戸板を経由して前記導流区域までガイドすると共に前記本体内に流れて前記タービン羽根組を回転させ、前記第１戸板は前記第１閉位置にある時、前記導流モジュールを遮蔽し、
前記第２戸板が該開位置にある時、前記第１開放区域を開き、前記作動流体が前記第１開放区域を経由して前記本体内に流れて前記タービン羽根組を回転させ、前記第２戸板は前記第２閉位置にある時、前記第１開放区域を遮蔽することを特徴とする請求項１に記載のタービン装置。
【請求項３】
前記枢設方向に沿って前記タービン羽根組の両端部に各々連接し、且つ前記タービン羽根組と連動する２つのバッフルプレートを更に含むことを特徴とする請求項１に記載のタービン装置。
【請求項４】
前記枢設方向に沿って前記本体の両端部を覆い被せる２つの封止蓋を更に含むことを特徴とする請求項１に記載のタービン装置。
【請求項５】
前記封止蓋が、前記本体の両端部に嵌設されて前記封止蓋を前記本体と完全に密着させることを特徴とする請求項４に記載のタービン装置。
【請求項６】
前記周縁壁体の内側に配設され、前記タービン羽根組の対向両側に各々位置する２つの支持材を更に含み、前記支持材が各々前記封止蓋と固着されることを特徴とする請求項４に記載のタービン装置。
【請求項７】
各前記支持材から前記タービン羽根組の軸心までの距離は、前記タービン羽根組の回転軸径に実質的に等しいことを特徴とする請求項６に記載のタービン装置。
【請求項８】
前記流体回収部材は、曲面板体で、一端が前記周縁壁体と連接し、曲面で他端まで延伸することを特徴とする請求項１に記載のタービン装置。
【請求項９】
前記流体回収部材の両端部の少なくともいずれか１つの配設位置から前記タービン羽根組の軸心までの距離は、前記タービン羽根組の回転軸径に実質的に等しいことを特徴とする請求項１に記載のタービン装置。
【請求項１０】
前記タービン羽根組は、複数の羽根を備え、前記羽根が外方に凸となる曲面と対応の内方に凹となる曲面とを備え、前記導流モジュールが複数の導流板体を備え、前記枢設方向に沿って前記導流区域に配設され、前記導流板体が前記作動流体を各前記羽根の前記内方に凹となる曲面までガイドすることを特徴とする請求項１に記載のタービン装置。
【請求項１１】
前記第１戸板は、前記枢設方向に沿って前記周縁壁体に枢設され、且つ前記導流位置と前記第１閉位置の間での回転に適していることを特徴とする請求項１に記載のタービン装置。
【請求項１２】
前記第２戸板が該周縁壁体に摺設され、且つ前記開位置と前記第２閉位置の間での往復摺動に適していることを特徴とする請求項１に記載のタービン装置。
【請求項１３】
前記本体は、筒状体とすることを特徴とする請求項１に記載のタービン装置。
【請求項１４】
前記枢設方向と前記筒状体の軸心方向とは、互いに平行となることを特徴とする請求項１３に記載のタービン装置。
【請求項１５】
前記気流回収区域の前記筒状体周縁における配設範囲は、１０°〜５０°とすることを特徴とする請求項１３に記載のタービン装置。
【請求項１６】
前記流体入口及び前記流体出口の前記筒状体周縁における配設範囲は、各々１２０°とすることを特徴とする請求項１３に記載のタービン装置。
【考案の詳細な説明】
【技術分野】
【０００１】
本考案は、タービン装置に関し、特に、高性能タービン装置に関する。
【背景技術】
【０００２】
現行の各タイプ風力発電機は、いずれも風の「運動エネルギー」のみを得ることができる。しかしながら、「風」が「羽根」に接触することであっという間に過ぎ去り、風の「質量エネルギー」及び風の「圧力」を完全に捕捉できないため、羽根効率も非常に低い。しかしながら、羽根効率を向上させようとしても、プロペラ羽根の数量を増やしただけ場合、羽根の間隔が狭くなりすぎて、羽根の回転で生じる乱流が逆に羽根の推力に影響を及ぼして羽根の数量を増やすことができなかった。羽根の受風面積が比較的大きな「幅広型タービン機」を用いる場合、羽根の数量が３枚より多いと、その抵抗力の面積が推力より大きくなり、タービン機に強い風が吹くが、やはり回転できない。
【０００３】
上述からも分かる通り、現行のタービン機の設計では、やはり高効率を提供できないため、実際改良の必要があった。
【考案の概要】
【考案が解決しようとする課題】
【０００４】
本考案の目的は、高性能のタービン装置を提供することである。
【課題を解決するための手段】
【０００５】
上記目的を達成するため、本考案は、作動流体の駆動を受けることに適すタービン装置を提供する。該タービン装置は、本体とタービン羽根組と導流モジュールと戸板組と流体回収部材とを含む。本体は、周縁壁体を備え、該周縁壁体に流体入口及び流体出口を開設する。該流体入口が導流区域と第１開放区域とを有し、該流体出口が気流回収区域と第２開放区域とを有する。
【０００６】
このほかに、タービン羽根組は、枢設方向に沿って該本体内部に枢設される。導流モジュールは、該導流区域に設けられ、戸板組が該流体入口に移動可能に設けられる。流体回収部材は、該気流回収区域に配置され、且つ該周縁壁体と連接する。該流体回収部材が該流体出口の一部を遮蔽する。ここで注目すべきは、該導流区域或いは該第１開放区域から該本体内までに流れて該タービン羽根組を回転させる一部の該作動流体が該流体回収部材のガイドを経て該本体内に還流して該タービン羽根組を回転させ、該導流区域或いは該第１開放区域から該本体内までに流れて該タービン羽根組を回転させる一部の該作動流体が該第２開放区域を経由して外部環境までに流れる。
【０００７】
本考案において、該戸板組は第１戸板と第２戸板とを備え、該第１戸板が該周縁壁体に連接し、且つ導流位置と第１閉位置の間で作動し、該第２戸板が該周縁壁体に配置され、且つ開位置と第２閉位置の間で作動することに適している。該第１戸板は、該導流位置にある時、該作動流体が第１戸板を経由して該導流区域までガイドすると共に該本体内に流れて該タービン羽根組を回転させる。該第１戸板は、該第１閉位置にある時、該導流モジュールを遮蔽する。該第２戸板が該開位置にある時、該第１開放区域を開き、該作動流体が該第１開放区域を経由して該本体内に流れて該タービン羽根組を回転させる。該第２戸板は、該第２閉位置にある時、該第１開放区域を遮蔽する。
【０００８】
本考案において、タービン装置は、該枢設方向に沿って該タービン羽根組の両端部に各々連接し、且つ該タービン羽根組と連動する２つのバッフルプレートを更に含む。
【０００９】
本考案において、タービン装置は、該枢設方向に沿って該本体の両端部を覆い被せる２つの封止蓋を更に含む。
【００１０】
本考案において、これら封止蓋が該本体の両端部に嵌設されて該封止蓋を該本体と完全に密着させる。
【００１１】
本考案において、タービン装置は、該周縁壁体の内側に配設され、該タービン羽根組の対向両側に各々位置する２つの支持材を更に含み、これら支持材が各々これら封止蓋と固着される。
【００１２】
本考案において、各該支持材から該タービン羽根組の軸心までの距離は、該タービン羽根組の回転軸径に実質的に等しい。
【００１３】
本考案において、該流体回収部材は、曲面板体で、一端が該周縁壁体と連接し、曲面で他端まで延伸する。
【００１４】
本考案において、該流体回収部材の両端部の少なくともいずれか１つの配設位置から該タービン羽根組の軸心までの距離は、該タービン羽根組の回転軸径に実質的に等しい。
【００１５】
本考案において、該タービン羽根組は、複数の羽根を備え、該羽根が外方に凸となる曲面と対応の内方に凹となる曲面とを備え、該導流モジュールが複数の導流板体を備え、該枢設方向に沿って該導流区域に配設され、これら導流板体が該作動流体を各該羽根の該内方に凹となる曲面までガイドする。
【００１６】
本考案において、該第１戸板は、該枢設方向に沿って該周縁壁体に枢設され、且つ該導流位置と該第１閉位置の間での回転に適している。
【００１７】
本考案において、該第２戸板が該周縁壁体に摺設され、且つ該開位置と該第２閉位置の間での往復摺動に適している。
【００１８】
本考案において、該本体は、筒状体とする。
【００１９】
本考案において、該枢設方向と該筒状体の軸心方向とは、互いに平行となる。
【００２０】
本考案において、該気流回収区域の該筒状体周縁における配設範囲は、１０°〜５０°とする。
【考案の効果】
【００２１】
ここで注目すべきものとして、本考案のタービン装置において、流体回収部材の設計は、該導流区域又は該第１開放区域から該本体内までに流れて該タービン羽根組を回転させる該作動流体を効果的にガイドして該本体内に還流して該タービン羽根組を回転させることで、タービン装置の運転効率を大幅に向上できる。
【図面の簡単な説明】
【００２２】
【図１】本考案の一実施例に係るタービン装置を示す模式図である。
【図２】図１のタービン装置の局部分解図である。
【図３】図１のタービン装置の分解図である。
【図４】図２のタービン装置を作動させた状態を示す模式図である。
【考案を実施するための形態】
【００２３】
以下、審査官に本考案の技術内容を理解させるため、好ましい具体的実施例を挙げて説明する。
【００２４】
本考案において、全く新しい技術思想で風力エネルギー捕捉用の「プロペラ」を「幅広型タービン機」の採用に変更し、ここで注目すべきものとして、本考案はタービン装置の運転効率を大幅に向上する以外に、従来技術内の「幅広型タービン機」の羽根の受風面積の「抵抗力」が「推力」を上回る問題も克服でき、次に説明する。
【００２５】
図１は、本考案の一実施例に係るタービン装置を示す模式図である。図２は、図１のタービン装置の局部分解図である。図３は、図１のタービン装置の分解図である。図４は、図２のタービン装置を作動させた状態を示す模式図である。図１、図２、図３及び図４を同時に参考にすると、上記目的を達成するため、本考案はタービン装置１００を提供し、該タービン装置１００が作動流体Ｆ１の駆動を受けて運動エネルギーを発生することに適している。本実施例において、タービン装置１００は、例えば筒状体の本体１１０とタービン羽根組１２０と導流モジュール１３０と戸板組１４０と流体回収部材１５０と、を含む。タービン羽根組１２０は、枢設方向Ｌに沿って本体１１０内部に枢設し、枢設方向Ｌが筒状体の軸心方向と互いに平行となる。
【００２６】
このほかに、本実施例は、枢設方向Ｌに沿ってタービン羽根組１２０の両端部にバッフルプレート１６０も設けることができる。バッフルプレート１６０は、タービン羽根組１２０と連動することができる。更に具体的に言えば、本実施例のタービン羽根組１２０の両端部にバッフルプレート１６０を設ける設計は、風のような作動流体（気流）がタービン羽根組１２０の両側から流出することを制止するために用いられ、よってバッフルプレート１６０の設計を介して気流をタービン羽根の回転範囲内に制限することで、気流の「運動エネルギー」、「質量エネルギー」及び「圧力」を完全に捕捉させることができる。一方、バッフルプレート１６０のタービン羽根組１２０と連動できる設計は、バッフルプレート１６０とタービン羽根組１２０を一体と見なして作動させ、気流が該一体内で流れることができ、外部環境の干渉を避けることができる。
【００２７】
本実施例において、本体１１０は、周縁壁体１１２を備え、周縁壁体１１２に流体入口１１４及び流体出口１１６を開設する。流体入口１１４は、導流区域１１４Ａと第１開放区域１１４Ｂを有する。このほかに、流体出口１１６は、気流回収区域１１６Ａと第２開放区域１１６Ｂを有する。導流モジュール１３０は、導流区域１１４Ａに設けられ、戸板組１４０が流体入口１１４に移動可能に設けられる。
【００２８】
本実施例のタービン装置１００の設置において、タービン羽根組１２０は複数の羽根１２２を備え、各羽根１２２が外方に凸となる曲面Ｃ１と対応の内方に凹となる曲面Ｃ２とを備え、また導流モジュール１３０が複数の導流板体１３２で構成される。これら導流板体１３２は、枢設方向Ｌに沿って導流区域１１４Ａに配設される。ここで注目すべきは、風のような作動流体（気流）でタービン羽根組１２０を有効的に駆動させるため、本実施例は導流区域１１４Ａに設けた導流板体１３２によって一部の作動流体Ｆ１を各羽根１２２の内方に凹となる曲面Ｃ２までにガイドすることで、タービン羽根組１２０回転の抵抗力となる可能性のある一部の気流をガイドしてタービン羽根組１２０回転の推力となる。
【００２９】
更に具体的に言えば、本実施例は、導流板体１３２を介して作動流体Ｆ１をガイドして至羽根１２２の内方に凹となる曲面Ｃ２に衝突させることで、タービン羽根組１２０を駆動する推力を発生する。そのほかに、一部の作動流体Ｆ１も第１開放区域１１４Ｂに直接流れることができ、且つガイドする必要なく内方に凹となる曲面Ｃ２に直接流れてタービン羽根組１２０を駆動できる。言い換えると、本実施例の導流板体１３２の設計を通じて、流体入口１１４に流れ込んだ作動流体Ｆ１は、しく羽根１２２の内方に凹となる曲面Ｃ２が駆動力を受けさせることで、作動流体Ｆ１を外方に凸となる曲面Ｃ１に流れたことで生じる抵抗力を避けることができる。こうすると、タービン羽根組１２０はより効果的に駆動されることで、好ましいパフォーマンスを生ませることができる。
【００３０】
ここで注目すべきものとして、本実施例は、流体回収部材１５０の設置を通じて、タービン装置１００の運転効率を大幅に向上する。詳細に言えば、本実施例は、気流回収区域１１６Ａに流体回収部材１５０を設ける。本実施例において、流体回収部材１５０は、該周縁壁体１１２と連接し、且つ一部の流体出口１１６を遮蔽する。こうすると、導流区域１１４Ａ及び第１開放区域１１４Ｂから本体１１０内に流れると共にタービン羽根組１２０を回転させる一部の作動流体Ｆ１は、流体回収部材１５０を経由して本体１１０内に還流することで、タービン羽根組１２０を繰り返し回転させることができる。流体回収部材１５０の設置により、タービン装置１００の運転効率を大幅に向上できるため、本実施例のタービン装置１００は、関連の発電及び蓄電作業を行うために用いることで、エネルギー産業の生産高をアップすることができる。
【００３１】
前記続き、本実施例は、元々流体出口１１６を経由して排出される作動流体Ｆ２を本体１１０に還流するよう改めてガイドし、その運動エネルギーを利用してタービン羽根組１２０を引き続き回転させる。当然、導流区域１１４Ａ及び第１開放区域１１４Ｂから本体１１０内に流れると共に該タービン羽根組１２０を回転させる一部の作動流体Ｆ３は、該第２開放区域１１６Ｂを経由して外部環境に流れる。
【００３２】
本実施例において、流体回収部材１５０は、曲面板体で、その一端１５２が周縁壁体１１２と連接し、また曲面で他端１５４まで延伸する。更に具体的に言えば、流体回収部材１５０に好ましいガイド効果を持たせるため、本実施例は、流体回収部材１５０の両端部１５２／１５４の少なくともいずれか１つの配設位置からタービン羽根組１２０の軸心Ｃまでの距離がタービン羽根組１２０の回転軸径Ｒに実質的に等しくなる。よって、タービン羽根組１２０を経由する気流が、直接且つ流出なく本体１１０内に還流するよう再度ガイドさせることができる。
【００３３】
流体入口１１４の流量を効果的に制御するため、本実施例の戸板組１４０は第１戸板１４２と第２戸板１４４とから成ることができる。第１戸板１４２が、周縁壁体１１２に連接し、且つ導流位置Ｐ１と第１閉位置Ｐ２の間で作動する。本実施例の第１戸板１４２が、押し戸設計で、枢設方向Ｌに平行となる方向に沿って本体１１０上に枢設されることで、開閉動作を行う。ここで注目すべきは、第１戸板１４２が開いた後適切な位置に調整されて導流作業を行うことができる。本実施例において、第１戸板１４２が、円弧状の扉とするが、これに限られるものではない。
【００３４】
更に具体的に言えば、第１戸板１４２が導流位置Ｐ１にある時、作動流体Ｆ１は第１戸板１４２を経由して該導流区域１１４Ａまでにガイドすると共に該本体１１０内までに流れて該タービン羽根組１２０を回転させる。第１戸板１４２は、第１閉位置Ｐ２にある時、導流モジュール１３０を遮蔽する。
【００３５】
このほかに、第２戸板１４４が、同樣に周縁壁体１１２に配置され、且つ開位置Ｐ３と第２閉位置Ｐ４の間で作動することに適している。本実施例において、本実施例の第２戸板１４４が、引き戸設計で、本体１１０周縁上のガイドレール１１８に沿って摺動させることで、開位置Ｐ３と第２閉位置Ｐ４の間で作動する。更に具体的に言えば、第２戸板１４４は、開位置Ｐ３にある時（図４）、第１開放区域１１４Ｂを完全に開き、作動流体Ｆ１は、直接第１開放区域１１４Ｂを経由して本体１１０内までに流れてタービン羽根組１２０を回転させることができる。また、第２戸板１４４は、第２閉位置Ｐ４にある時、第１開放区域１１４Ｂを遮蔽する。ここで注目すべきものとして、本実施例の第２戸板１４４は、同樣に適切な位置にまで調整されて作動流体Ｆ１をより効果的且つ直接的にタービン羽根組１２０を駆動させることができる。本実施例は、ここの第２戸板１４４駆動状態時の配設位置に対しいかなる限定も行わない。
【００３６】
本実施例において、タービン装置は、本体１１０の両端部に嵌設される２つの封止蓋１７０を更に含むことができ、封止蓋１７０が枢設方向Ｌに沿って各々本体１１０の両端部を覆い被せて該本体１１０と完全に密着することで、気流を本体１１０内に流れさせ、外部気流の影響を有効的に軽減する。このほかに、タービン装置１００に好ましい剛性を持たせ、且つ流体の激しい作用環境においてより一層安定的に配設されるため、本実施例は周縁壁体１１２の内側に２つの支持材１８０も配置でき、各支持材１８０からタービン羽根組１２０の軸心Ｃまでの距離がタービン羽根組１２０の回転軸径Ｒに実質的に等しくする。該２つの支持材１８０は、各々タービン羽根組１２０の対向両側に位置し、且つ各々本体１１０両端部に配置されている封止蓋１７０と固着する。こうすると、本実施例のタービン装置１００は、好ましい剛性を持ち、且つ流体の激しい作用環境でも働くことができる。
【００３７】
次に、タービン装置１００の運転効率をより一層効果的に向上するため、筒状体の本体１１０が有する３６０°の周縁で分配して設置し、導流区域１１４Ａ及び第１開放区域１１４Ｂが各々６０°の設置範囲を占め、つまり流体入口１１４は最大で１２０°の設置範囲を提供して作動流体Ｆ１の流入のために供する。同様に、流体出口１１６は、最大で１２０°の設置範囲を提供して作動流体Ｆ３の流出に供する。特に、本実施例は１０°〜５０°の設置範囲を気流回収区域１１６Ａとすることができ、また該範囲内に流体回収部材１５０を設ける。言い換えると、第２開放区域１１６Ｂが約７０°〜１１０°の設置範囲を占め、作動流体Ｆ３の流出のために供する。特に、好ましい実施例において、１５°〜３０°の設置範囲を気流回収区域１１６Ａとし、また第２開放区域１１６Ｂが約９０°〜１０５°の設置範囲を占め、作動流体Ｆ３の流出のために供する。
【００３８】
上記気流回収区域１１６Ａの設置範囲及び流体回収部材１５０の構成要素の寸法は、タービン装置１００の配置環境又はタービン羽根組１２０の羽根１２２の寸法設計に基づいて考慮でき、本実施例は、ここでいかなる限定をしない。上記構成要素の設置範囲外の区域において、本実施例は、周縁壁体１１２及び支持材１８０を設けることで、自体の構造強度を強化できる。
【００３９】
上述をまとめると、本考案のタービン装置内において、流体回収部材の設計は、導流区域又は第１開放区域から本体内までに流れてタービン羽根組を回転させる作動流体を効果的にガイドし、本体内に還流してタービン羽根組を回転させることで、タービン装置の運転効率を大幅に向上する。流体回収部材の設置に基づくと、タービン装置の運転効率を大幅に向上できるため、本考案のタービン装置は、関連の発電及び蓄電作業を行うために用いることで、エネルギー産業の生産高をアップすることができる。
【００４０】
このほかに、本考案は、バッフルプレートの設計を通じて作動流体を運転中のタービン羽根組の両側から流出するのを制止することで、作動流体の「運動エネルギー」、「質量エネルギー」、及び「圧力」を完全に捕捉させ、また外部環境の干渉を効果的に避けることができる。このほかに、本考案の戸板組の設計は、適切な位置に調整されて作動流体がより一層効果的且つ直接的にタービン羽根組を押進させることができ、関連の発電作業にとって大きな助けになる。戸板組の設計に対し、簡単に言えば、タービン装置をより一層安定的に流体の激しい作用環境内に配置させることができるため、本考案が「空気抵抗」が比較的小さい円筒状の構造を用い、また過大な流体作用下で閉めてタービン装置内の構成要素が損傷を受けないように、流体入口に対応の戸板を取り付ける。逆に、対応の戸板は、タービン装置が運転に適した状態で開くことができる。本考案の戸板設計は、風（作動流体）の面積を増やすことができ、更に多くの風量を取り込み、更に多くの運動エネルギーを捕捉することで、関連の発電設備を引き続き運転させることで、好ましい発電パフォーマンスを発揮する。
【００４１】
よって、考案の詳細な説明の項に開示されているのは、どこでも流体回収部材又はバッフルプレートの設置、或いは本考案の導流モジュール、封止蓋若しくは支持材の設置を問わず、いずれも本考案のタービン装置が従来技術に比べると、好ましい運転効率を有することを示している。
【００４２】
以上、本考案の実施例につき説明したが、本考案は前述した実施例に限定されることなく、本考案の精神を逸脱しない範囲内において種々の改良変更をなし得ることは、本願が主張する権利範囲に属し、特許請求の範囲に準じる。
【符号の説明】
【００４３】
１００ タービン装置
１１０ 本体
１１２ 周縁壁体
１１４ 流体入口
１１４Ａ 導流区域
１１４Ｂ 第１開放区域
１１６ 流体出口
１１６Ａ 気流回収区域
１１６Ｂ 第２開放区域
１１８ ガイドレール
１２０ タービン羽根組
１２２ 羽根
１３０ 導流モジュール
１３２ 導流板体
１４０ 戸板組
１４２ 第１戸板
１４４ 第２戸板
１５０ 流体回収部材
１５２、１５４ 端部
１６０ バッフルプレート
１７０ 封止蓋
１８０ 支持材
Ｃ 軸心
Ｃ１ 外方に凸となる曲面
Ｃ２ 内方に凹となる曲面
Ｆ１、Ｆ２、Ｆ３ 作動流体
Ｌ 枢設方向
Ｐ１ 導流位置
Ｐ２ 第１閉位置
Ｐ３ 開位置
Ｐ４ 第２閉位置
Ｒ 回転軸径
【図１】
0003208968.tif 000003
【図２】
0003208968.tif 000004
【図３】
0003208968.tif 000005
【図４】
0003208968.tif 000006
【手続補正書】
【提出日】平成28年12月15日(2016.12.15)
【手続補正１】
【補正対象書類名】実用新案登録請求の範囲
【補正対象項目名】全文
【補正方法】変更
【補正の内容】
【実用新案登録請求の範囲】
【請求項１】
周縁壁体を備え、前記周縁壁体に流体入口及び流体出口を開設し、前記流体入口が導流区域と第１開放区域とを有し、前記流体出口が気流回収区域と第２開放区域とを有する本体と、
枢設方向に沿って前記本体内部に枢設されるタービン羽根組と、
前記導流区域に設けられた導流モジュールと、
前記流体入口に移動可能に設けられた戸板組と、
前記気流回収区域に配置され、且つ前記周縁壁体と連接し、前記流体出口の一部を遮蔽する流体回収部材と、
を含む作動流体の駆動を受けることに適すタービン装置であって、
前記導流区域或いは前記第１開放区域から前記本体内までに流れて該タービン羽根組を回転させる一部の該作動流体が前記流体回収部材のガイドを経て前記本体内に還流して前記タービン羽根組を回転させ、前記導流区域或いは前記第１開放区域から前記本体内までに流れて前記タービン羽根組を回転させる一部の前記作動流体が前記第２開放区域を経由して外部環境までに流れることを特徴とするタービン装置。
【請求項２】
前記戸板組は、第１戸板と第２戸板とを備え、前記第１戸板が前記周縁壁体に連接し、且つ導流位置と第１閉位置の間で作動し、前記第２戸板が前記周縁壁体に配置され、且つ開位置と第２閉位置の間で作動することに適し、
前記第１戸板は前記導流位置にある時、前記作動流体が前記第１戸板を経由して前記導流区域までガイドすると共に前記本体内に流れて前記タービン羽根組を回転させ、前記第１戸板は前記第１閉位置にある時、前記導流モジュールを遮蔽し、
前記第２戸板が該開位置にある時、前記第１開放区域を開き、前記作動流体が前記第１開放区域を経由して前記本体内に流れて前記タービン羽根組を回転させ、前記第２戸板は前記第２閉位置にある時、前記第１開放区域を遮蔽することを特徴とする請求項１に記載のタービン装置。
【請求項３】
前記枢設方向に沿って前記タービン羽根組の両端部に各々連接し、且つ前記タービン羽根組と連動する２つのバッフルプレートを更に含むことを特徴とする請求項１に記載のタービン装置。
【請求項４】
前記枢設方向に沿って前記本体の両端部を覆い被せる２つの封止蓋を更に含むことを特徴とする請求項１に記載のタービン装置。
【請求項５】
前記封止蓋が、前記本体の両端部に嵌設されて前記封止蓋を前記本体と完全に密着させることを特徴とする請求項４に記載のタービン装置。
【請求項６】
前記周縁壁体の内側に配設され、前記タービン羽根組の対向両側に各々位置する２つの支持材を更に含み、前記支持材が各々前記封止蓋と固着されることを特徴とする請求項４に記載のタービン装置。
【請求項７】
各前記支持材から前記タービン羽根組の軸心までの距離は、前記タービン羽根組の回転軸径に実質的に等しいことを特徴とする請求項６に記載のタービン装置。
【請求項８】
前記流体回収部材は、曲面板体で、一端が前記周縁壁体と連接し、曲面で他端まで延伸することを特徴とする請求項１に記載のタービン装置。
【請求項９】
前記流体回収部材の両端部の少なくともいずれか１つの配設位置から前記タービン羽根組の軸心までの距離は、前記タービン羽根組の回転軸径に実質的に等しいことを特徴とする請求項１に記載のタービン装置。
【請求項１０】
前記タービン羽根組は、複数の羽根を備え、前記羽根が外方に凸となる曲面と対応の内方に凹となる曲面とを備え、前記導流モジュールが複数の導流板体を備え、前記枢設方向に沿って前記導流区域に配設され、前記導流板体が前記作動流体を各前記羽根の前記内方に凹となる曲面までガイドすることを特徴とする請求項１に記載のタービン装置。
【請求項１１】
前記第１戸板は、前記枢設方向に沿って前記周縁壁体に枢設され、且つ前記導流位置と前記第１閉位置の間での回転に適していることを特徴とする請求項２に記載のタービン装置。
【請求項１２】
前記第２戸板が該周縁壁体に摺設され、且つ前記開位置と前記第２閉位置の間での往復摺動に適していることを特徴とする請求項２に記載のタービン装置。
【請求項１３】
前記本体は、筒状体とすることを特徴とする請求項１に記載のタービン装置。
【請求項１４】
前記枢設方向と前記筒状体の軸心方向とは、互いに平行となることを特徴とする請求項１３に記載のタービン装置。
【請求項１５】
前記気流回収区域の前記筒状体周縁における配設範囲は、１０°〜５０°とすることを特徴とする請求項１３に記載のタービン装置。
【請求項１６】
前記流体入口及び前記流体出口の前記筒状体周縁における配設範囲は、各々１２０°とすることを特徴とする請求項１３に記載のタービン装置。